(57)【要約】【課題】ガイド軸を容易に調整できる光学機器を提供する。【解決手段】本発明の光学機器２０は、ベース部材２２と、一端がベース部材に支持され光学素子をベース部材に対して移動可能に支持するガイド軸部材と、ガイド軸部材とベース部材の間でガイド軸部材の他端を支持する調芯部材３２と、ベース部材に対して回転可能な回転軸部３３ａと回転軸部から偏芯した調芯操作部３３ｂとを有する第１の偏心ピン部材及び第２の偏心ピン部材３３Ｂと、を備える。調芯部材には、第１の偏芯ピン部材の調芯操作部が嵌合する第１の調整孔３２ｂと、第２の偏芯ピン部材の調芯操作部が嵌合する第２の調整孔３２ｃとが、ガイド軸部材を支持する部位３２ｄを隔てて配設され、第１の調整孔は、第１の偏芯ピン部材における調芯操作部が摺動回転可能に嵌合する丸孔、第２の調整孔３２ｃは、第２の偏芯ピン部材における調芯操作部が摺動移動可能に嵌合する長孔である。【選択図】図３
2012173670.tif 000002
【特許請求の範囲】
【請求項１】
ベース部材と、
光学素子と、
一端が前記ベース部材に支持され、前記光学素子を前記ベース部材に対して移動可能に支持するガイド軸部材と、
前記ガイド軸部材と前記ベース部材の間に介在して前記ガイド軸部材の他端を支持する調芯部材と、
前記ベース部材に回転可能に設けられる回転軸部と当該回転軸部から偏芯した調芯操作部とをそれぞれ有する第１の偏心ピン部材および第２の偏心ピン部材と、
を備え、
前記調芯部材には、前記第１の偏芯ピン部材における調芯操作部が嵌合する第１の調整孔と、前記第２の偏芯ピン部材における調芯操作部が嵌合する第２の調整孔とが、
前記ガイド軸部材を支持する部位を隔てて配設されており、
前記第１の調整孔は、前記第１の偏芯ピン部材における調芯操作部が摺動回転可能に嵌合する丸孔であり、
前記第２の調整孔は、前記第２の偏芯ピン部材における調芯操作部が摺動移動可能に嵌合する長孔であること、を特徴とする光学機器。
【請求項２】
請求項１に記載の光学機器であって、
前記調芯部材における、前記第２の調整孔と前記ガイド軸部材を支持する部位との間隔は、前記第１の調整孔と前記ガイド軸部材を支持する部位との間隔より小さく設定されていること、を特徴とする光学機器。
【請求項３】
請求項１または２に記載の光学機器であって、
前記ベース部材に装着されて前記調芯部材との間に介在する固定板部材を備え、
前記固定板部材は、前記第１の偏心ピン部材および前記第２の偏心ピン部材における前記回転軸部が嵌合する嵌合孔を備えること、を特徴とする光学機器。
【請求項４】
請求項３に記載の光学機器であって、
前記調芯部材を前記固定板部材に結合固定する固定部材を備えること、を特徴とする光学機器。
【請求項５】
請求項１〜４のいずれか１項に記載の光学機器であって、
前記ベース部材は、当該光学機器が取り付けられる被装着物に固定されるマウント部材を備えており、
前記ガイド軸部材の一端は前記ベース部材の前記マウント部材側において支持され、前記ガイド軸部材の他端は前記マウント部材側とは反対側で前記調芯部材によって支持されていること、を特徴とする光学機器。
【請求項６】
請求項１〜５のいずれか１項に記載の光学機器であって、
前記第１の偏心ピン部材および前記第２の偏心ピン部材は、回転操作される多角形の操作部を備えること、を特徴とする光学機器。
【発明の詳細な説明】
【技術分野】
【０００１】
本発明は、光学機器に関するものである。
【背景技術】
【０００２】
カメラレンズ等において、合焦を行うフォーカシングレンズ群や焦点距離調節を行うズーミングレンズ群を、ガイド軸によって支持して移動案内させる構成が知られている。
このような構成では、ガイド軸によって支持移動案内されるレンズ群の光軸が、固定レンズ群の光軸に対して傾いていると、光学性能が低下する。このため、ガイド軸の角度を変化させてガイド軸が支持案内するレンズ群の光軸を調整する調整機構を備えたものがある（例えば、特許文献１参照）。
【先行技術文献】
【特許文献】
【０００３】
【特許文献１】特開２００７−２７９１５２号公報
【発明の概要】
【発明が解決しようとする課題】
【０００４】
しかし、ガイド軸を広い調整範囲において高い精度で調整することは難しく、ガイド軸を広い範囲において容易に高精度で調整することのできる構成が望まれていた。
【０００５】
本発明の課題は、ガイド軸を容易に調整できる光学機器を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、ベース部材（２２）と、光学素子（２４，２５）と、一端が前記ベース部材（２２）に支持され前記光学素子（２４，２５）を前記ベース部材（２２）に対して移動可能に支持するガイド軸部材（２３Ｌ）と、前記ガイド軸部材（２３Ｌ）と前記ベース部材（２２）の間に介在して前記ガイド軸部材（２３Ｌ）の他端を支持する調芯部材（３２）と、前記ベース部材（２２）に対して回転可能に設けられる回転軸部（３３ａ）と当該回転軸部（３３ａ）から偏芯した調芯操作部（３３ｂ）とをそれぞれ有する第１の偏心ピン部材（３３Ａ）および第２の偏心ピン部材（３３Ｂ）と、を備え、前記調芯部材（３２）には、前記第１の偏芯ピン部材（３３Ａ）における調芯操作部（３３ｂ）が嵌合する第１の調整孔（３２ｂ）と、前記第２の偏芯ピン部材（３３Ｂ）における調芯操作部（３３ｂ）が嵌合する第２の調整孔（３２ｃ）とが、前記ガイド軸部材（２３Ｌ）を支持する部位（３２ｄ）を隔てて配設されており、前記第１の調整孔（３２ｂ）は、前記第１の偏芯ピン部材（３３Ａ）における調芯操作部（３３ｂ）が摺動回転可能に嵌合する丸孔であり、前記第２の調整孔（３２ｃ）は、前記第２の偏芯ピン部材（３３Ｂ）における調芯操作部（３３ｂ）が摺動移動可能に嵌合する長孔であること、を特徴とする光学機器（２０）である。
請求項２に記載の発明は、請求項１に記載の光学機器であって、前記調芯部材（３２）における、前記第２の調整孔（３２ｃ）と前記ガイド軸部材（２３Ｌ）を支持する部位（３２ｄ）との間隔は、前記第１の調整孔（３２ｂ）と前記ガイド軸部材（２３Ｌ）を支持する部位（３２ｄ）との間隔より小さく設定されていること、を特徴とする光学機器である。
請求項３に記載の発明は、請求項１または２に記載の光学機器であって、前記ベース部材（２２）に装着されて前記調芯部材（３２）との間に介在する固定板部材（３１）を備え、前記固定板部材（３１）は、前記第１の偏心ピン部材（３３Ａ）および前記第２の偏心ピン部材（３３Ｂ）における前記回転軸部（３３ａ）が嵌合する嵌合孔（３１ｂ，３１ｃ）を備えること、を特徴とする光学機器である。
請求項４に記載の発明は、請求項３に記載の光学機器であって、前記調芯部材（３２）を前記固定板部材（３１）に結合固定する固定部材（３５）を備えること、を特徴とする光学機器である。
請求項５に記載の発明は、請求項１〜４のいずれか１項に記載の光学機器であって、前記ベース部材（２２）は、当該光学機器が取り付けられる被装着物（１０）に固定されるマウント部材（ＬＭ）を備えており、前記ガイド軸部材（２３Ｌ）の一端は前記ベース部材（２２）の前記マウント部材（ＬＭ）側において支持され、前記ガイド軸部材（２２）の他端は前記マウント部材（ＬＭ）側とは反対側で前記調芯部材（３２）によって支持されていること、を特徴とする光学機器である。
請求項６に記載の発明は、請求項１〜５のいずれか１項に記載の光学機器であって、前記第１の偏心ピン部材（３３Ａ）および前記第２の偏心ピン部材（３３Ｂ）は、回転操作される多角形の操作部（３３ｃ）を備えること、を特徴とする光学機器である。
【０００８】
なお、符号を付して説明した構成は、適宜改良してもよく、また、少なくとも一部を他の構成物に代替してもよい。
【発明の効果】
【０００９】
本発明によれば、ガイド軸を容易に調整できる光学機器を提供することができる。
【図面の簡単な説明】
【００１０】
【図１】本発明の一実施形態を適用した撮像レンズを備えるカメラの概略図である。
【図２】撮像レンズの要部拡大断面図である。
【図３】調芯支持機構の分解斜視図である。
【図４】図２のＡ矢視図に相当する調芯支持機構の正面図である。
【図５】調芯板の正面図である。
【発明を実施するための形態】
【００１１】
以下、図面等を参照して、本発明の実施形態について説明する。
図１は、本発明の一実施形態を適用した撮像レンズ２０を備えるカメラ１の概略図である。
なお、図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。このＺ方向の被写体に向かうＺプラス方向を前面側、Ｚマイナス方向を背面側ともいう。
【００１２】
本実施形態のカメラ１は、カメラ本体１０と、撮像レンズ２０と、によって構成されている。撮像レンズ２０は、撮影光学系を構成する複数のレンズ群（第１レンズ群Ｌ１，第２レンズ群Ｌ２および第３レンズ群Ｌ３）を備えており、カメラ本体１０に着脱可能に装着されるようになっている。
カメラ本体１０は、クイックリターンミラー１１，ファインダスクリーン１２，ペンタプリズム１３，接眼光学系１４，シャッター１５，撮像素子１６，表示装置１７等を備えている。
【００１３】
クイックリターンミラー１１は、撮像レンズ２０を通過した被写体側からの光（被写体光）の光路を、ファインダスクリーン１２に向けて屈曲させるためにカメラ本体１０内に揺動可能に設けられたミラーである。クイックリターンミラー１１は、レリーズ操作に応じて、被写体光の撮像素子１６への入射を妨げない退避位置（図１中に二点鎖線で示す）に移動する。
【００１４】
ファインダスクリーン１２は、クイックリターンミラー１１により反射された被写体像を結像させるスクリーンであり、クイックリターンミラー１１とペンタプリズム１３との間に配置されている。
ペンタプリズム１３は、断面形状が五角形のプリズムであって、カメラ本体１０を横位置に構えた状態の上部に配設されている。ペンタプリズム１３は、ファインダスクリーン１２に結像した像を正立像として接眼光学系１４へと導く。
【００１５】
接眼光学系１４は、ペンタプリズム１３により正立像となった被写体像を、拡大観察するための光学系であり、ペンタプリズム１３の背面側（撮影者側）に配置されている。
シャッター１５は、レリーズ操作に応じて開閉し、撮像素子１６に結像する被写体像光の露光時間を制御する。
【００１６】
撮像素子１６は、撮影光学系によって結像された被写体像を電気信号に変換する、例えば、ＣＣＤである。撮像素子１６は、カメラ本体１０の内側の背面側（図１に示す右側）に、受光面を光軸ＯＡに対して直交させた状態で設けられている。
表示装置１７は、カメラ本体１０の外側の背面側（撮影者側）に設けられた液晶等の表示パネルを備えている。表示装置１７は、表示パネルに撮影画像や、露光時間等の撮影に関する情報等を表示する。
【００１７】
そして、カメラ１は、図示しないシャッターボタンが押圧操作（レリーズ操作）されると、クイックリターンミラー１１が、退避位置に移動する。シャッター１５は、レリーズ操作に応じて開閉し、撮像素子１６に被写体像光を所定時間露光させる。撮像素子１６は、被写体像光を電気信号に変換して撮像する。撮像素子１６によって撮像された撮像データは、図示しない記録部に記録される。これによって、撮影が行われる。
【００１８】
つぎに、前述した図１に加えて図２〜図５を参照し、本実施形態における特徴部分である調芯支持機構３０を備える撮像レンズ２０について詳細に説明する。図２は、撮像レンズ２０の要部拡大断面図である。図３は、調芯支持機構３０の分解斜視図である。図４は、図２のＡ矢視に相当する調芯支持機構３０の正面図である。図５は、調芯板３２の正面図である。
【００１９】
撮像レンズ２０は、円筒状の外装筒２１の内部に、鏡筒本体２２と、鏡筒本体２２に設けられた一対のガイド軸（第１ガイド軸２３Ｌ，第２ガイド軸２３Ｕ）と、を備えている。また、撮像レンズ２０は、前面側から順に、第１レンズ群Ｌ１，第２レンズ群Ｌ２および第３レンズ群Ｌ３を備えている。第２レンズ群Ｌ２と第３レンズ群Ｌ３の間には、絞りユニット４０が配設されている。なお、本実施形態における撮像レンズ２０は、単焦点の交換レンズである。
【００２０】
第２レンズ群Ｌ２および第３レンズ群Ｌ３は、それぞれの保持枠（２群保持枠２４および３群保持枠２５）に支持されており、これら保持枠２４，２５を介して第１ガイド軸２３Ｌおよび第２ガイド軸２３Ｕに案内されて光軸ＯＡ方向に移動し、合焦作用を行う。なお、この第２レンズ群Ｌ２および第３レンズ群Ｌ３の移動駆動は、図示しないカム筒によって行われる。
【００２１】
外装筒２１と鏡筒本体２２とは、共に略円筒状であって、背面側の端部で結合されて、相対回転不能に一体化されている。外装筒２１と鏡筒本体２２とが結合された基端部（背面側端部）には、カメラ本体１０と結合するレンズマウントＬＭが固定されている。
外装筒２１の前端部には、第１レンズ群Ｌ１を支持する１群レンズ枠２９が固定されている。
【００２２】
鏡筒本体２２は、外装筒２１の内部に収容され、前述したように背面側の端部で外装筒２１と結合している。鏡筒本体２２の内周側には、第２レンズ群Ｌ２および第３レンズ群Ｌ３を移動可能に支持する第１ガイド軸２３Ｌと第２ガイド軸２３Ｕが設けられている。
【００２３】
第１ガイド軸２３Ｌと第２ガイド軸２３Ｕとは、それぞれ所定径の軸状であって、その長さは鏡筒本体２２における光軸ＯＡ方向の長さと略と対応している。第１ガイド軸２３Ｌと第２ガイド軸２３Ｕとは、鏡筒本体２２の内周側に、光軸ＯＡを挟んで（すなわち周方向に１８０°離れて）配設されている。
図１中下側に位置する第１ガイド軸２３Ｌは、その背面側の端部が鏡筒本体２２における背面側端部（レンズマウントＬＭの前面側に隣接する部位）の内周側に突設された支持フランジ２２Ｆに保持されている。また、第１ガイド軸２３Ｌの前面側の端部は、後述する調芯支持機構３０を介して鏡筒本体２２の前面側端部に保持されている。
【００２４】
第１ガイド軸２３Ｌには、移動ベース２６の脚部２６Ａ，２６Ｂがそれぞれ摺動移動可能に嵌合している。
移動ベース２６は、第２レンズ群Ｌ２を保持する２群保持枠２４と一体に形成され、光軸ＯＡ方向前後両端の外周側にそれぞれ脚部２６Ａ，２６Ｂを備えている。
移動ベース２６の背面側には、第３レンズ群Ｌ３を保持する３群保持枠２５が間隔調整ワッシャー２７を介して固定されている。
【００２５】
図１中上側に位置するガイド軸２３Ｕは、背面側の端部が外装筒２１における背面側端部の内周側に突設された支持フランジ２２Ｆに支持されている。また、ガイド軸２３Ｕの前面側の端部は、外装筒２１の前面側端面に固定された固定板２８に支持されている。
ガイド軸２３Ｕには、移動ベース２６の脚部２６Ａ，２６Ｂに形成された外周側に開放する嵌合溝２６Ａａ，２６Ｂａが摺動移動可能に嵌合している。
【００２６】
上記のような第２レンズ群Ｌ２および第３レンズ群Ｌ３の支持構成では、第１ガイド軸２３Ｌが移動ベース２６の姿勢（すなわち第２レンズ群Ｌ２および第３レンズ群Ｌ３の姿勢）を規定しつつその移動を案内し、第２ガイド軸２３Ｕは移動ベース２６の回転を規制する。
なお、移動ベース２６の移動は、外装筒２１の外周に配設された図示しないピントリングの回転操作にカム溝およびフォロアピンを介して連動するようになっている。
【００２７】
つぎに、第１ガイド軸２３Ｌの前面側の端部を支持する調芯支持機構３０について詳細に説明する。
調芯支持機構３０は、第１ガイド軸２３Ｌの前面側の端部を、光軸ＯＡと交差する方向に移動調整可能に支持する。これにより、第１ガイド軸２３Ｌの配設角度（光軸ＯＡに対する角度）を、鏡筒本体２２の支持フランジ２２Ｆによる支持部位を支点として変化させて、第１ガイド軸２３Ｌによって規定される第２レンズ群Ｌ２および第３レンズ群Ｌ３の面倒れを是正するように調整する。
【００２８】
調芯支持機構３０は、基台板３１と、調芯板３２と、２組の偏芯ピン３３（第１偏芯ピン３３Ａ，第２偏芯ピン３３Ｂ）と、によって構成されている。なお、本実施形態では、第１偏芯ピン３３Ａと第２偏芯ピン３３Ｂとは同一形状であり、以下、特に必要である場合以外は、偏芯ピン３３として説明する。
基台板３１は、所定厚さの板状の部材であって、支持板部３１Ａと、その外周側に突出した装着板部３１Ｂとから成る。
【００２９】
基台板３１の支持板部３１Ａには、第１ガイド軸２３Ｌが所定の余裕を有して遊嵌する貫通孔３１ａと、２個の偏芯ピン装着孔（第１偏芯ピン装着孔３１ｂ，第２偏芯ピン装着孔３１ｃ）と、後述する調芯板３１を固定する固定メネジ３１ｄと、が形成されている。
【００３０】
第１偏芯ピン装着孔３１ｂと第２偏芯ピン装着孔３１ｃとは、貫通孔３１ａを挟んで、光軸ＯＡを中心とする略円弧方向に並んで配設されている。
固定メネジ３１ｄは、貫通孔３１ａと、図３および図４における下側に配設された第２偏芯ピン装着孔３１ｃとの間に形成されている。
【００３１】
装着板部３１Ｂには、当該基台板３１を鏡筒本体２２に固定するための２個の固定孔３１ｅと、当該基台板３１を鏡筒本体２２に位置決めする２箇所の位置決め部３１ｆ，３１ｇと、が形成されている。
そして、基台板３１は、装着板部３１Ｂに形成された位置決め部３１ｆ，３１ｇが外装筒２１の前面側端面に突設された位置決め突起（図示せず）に嵌合して位置決めされ、装着板部３１Ｂの固定孔３１ｅに前面側から挿通された装着ネジ３４によって外装筒２１の前面側端面に固定されている。
【００３２】
調芯板３２は、所定厚さの板状の部材であって、基台板３１における支持板部３１Ａと対応する形状に形成されている。調芯板３２は、ガイド軸２３Ｌの端部が嵌合してこれを支持する支持孔３２ａと、偏芯ピン３３（第１偏芯ピン３３Ａ，第２偏芯ピン３３Ｂ）におけるそれぞれの偏芯軸部３３ｂが嵌合する第１調芯孔３２ｂおよび第２調芯孔３２ｃと、固定ネジ３５が貫通する固定孔３２ｄと、を備えている。
第１調芯孔３２ｂおよび第２調芯孔３２ｃは、それぞれ基台板３１における第１偏芯ピン装着孔３１ｂおよび第２偏芯ピン装着孔３１ｃと対応して設けられている。
【００３３】
ここで、図３〜図５中上側の第２調芯孔３２ｃは、所定長さの長孔として形成されている。また、長孔の長軸方向は、第１偏芯ピン装着孔３１ｂおよび第２偏芯ピン装着孔とを結ぶ方向成分を有する。
さらに、図４中に示すように、第１調芯孔３２ｂおよび第２調芯孔３２ｃと支持孔３２ａとの位置関係は、支持孔３２ａと第２調芯孔３２ｃとの間隔：Ｄ２が、支持孔３２ａと第１調芯孔３２ｂとの間隔：Ｄ１より小さく（Ｄ１＞Ｄ２）設定されている。つまり、ガイド軸２３Ｌの端部を支持する支持孔３２ａは、第１調芯孔３２ｂと第２調芯孔３２ｃとに挟まれた領域の、第２調芯孔３２ｃ寄りに配設されている。
【００３４】
偏芯ピン３３は、先端側から順に、装着軸部３３ａと、偏芯操作軸部３３ｂと、操作頭部３３ｃと、を備えている。
装着軸部３３ａは、基台板３１における第１偏芯ピン装着孔３１ｂおよび第２偏芯ピン装着孔３１ｃに摺動回転可能に嵌合する軸状に形成されている。この装着軸部３３ａが、当該偏芯ピン３３の回転中心となる。
【００３５】
偏芯操作軸部３３ｂは、調芯板３２の第１調芯孔３２ｂおよび第２調芯孔３２ｃに摺動回転可能に嵌合する径の軸状であって、その中心は、装着軸部３２ａの中心から所定量偏芯している。
【００３６】
操作頭部３３ｃは、平面形状が正六角形で所定厚さに形成され、その中心は、装着軸部３３ａの中心と一致している。操作頭部３３ｃの上面には、操作溝３３ｄが一文字状に形成されている。操作溝３３ｄは、六角形の一辺の中心と直交するように形成されており、その延設方向は偏芯操作軸部３３ｂの偏芯方向と一致している。
【００３７】
そして、調芯板３２は、基台板３１の支持板部３１Ａの前面側に重合して配設され、その支持孔３２ａに基台板３１の貫通孔３１ａを貫通したガイド軸２３Ｌの先端が嵌合固定されている。
また、調芯板３２の第１調芯孔３２ｂと第２調芯孔３２ｃには、それぞれ偏芯ピン３３の偏芯操作軸部３３ｂが嵌合している。偏芯ピン３３の先端の装着軸部３３ａは、基台板３１における第１偏芯ピン装着孔３１ｂおよび第２偏芯ピン装着孔３１ｃにそれぞれ摺動回転可能に嵌合し、先端部がカシメられている。これにより、偏芯ピン３３は、基台板３１に回転可能且つ脱落不能に設けられている。
【００３８】
上記のように構成された調芯支持機構３０は、下記のように作用する。
すなわち、第１偏芯ピン３３Ａを回転操作すると、第１偏芯ピン３３Ａの偏芯操作軸部３３ｂが嵌合した調芯板３２における第１偏芯ピン装着孔３１ｂは、第１偏芯ピン３３Ａの回転軸（装着軸部３３ａ）を中心として偏芯操作軸部３３ｂの偏芯量を半径とする円を描いて回転する。これにより、第２偏芯ピン３３Ｂは、長孔である第２調芯孔３２ｃの長軸に沿って移動する。その結果、調芯板３２はピストンにおける連接棒のように動き、第１ガイド軸２３Ｌの先端を支持する支持孔３２ａは、図示のように第２調芯孔３２ｃの長軸方向に長い長円軌道（略長円軌道）を描いて移動する。その長円軌道の長軸は、第１偏芯ピン３３Ａにおける偏芯操作軸部３３ｂの移動量（偏芯量の２倍）に等しい。
【００３９】
一方、第２偏芯ピン３３Ｂを回転操作すると、第２調芯孔３２ｃは、第２偏芯ピン３３Ｂにおける偏芯操作軸部３３ｂの偏芯によって第２調芯孔３２ｃの長軸方向と交差する方向に移動する。これにより、調芯板３２は、第１偏芯ピン３３Ａにおける偏芯操作軸部３３ｂを中心として揺動する。その結果、第１ガイド軸２３Ｌの先端を支持する支持孔３２ａは、第１調芯孔３２ｂと第２調芯孔３２ｃを結ぶ直線と交差する方向（略Ｙ軸方向）に移動する。
【００４０】
上記のような構成により、第１偏芯ピン３３Ａと第２偏芯ピン３３Ｂの回転操作を組み合わせることで、調芯板３２を（すなわち支持孔３２ａで支持した第１ガイド軸２３Ｌの先端を）、その可動範囲内における任意の位置に移動させることができる。
移動後の調芯板３２は、前面側から固定孔３２ｄに挿通されて基台板３１の固定メネジ３１ｄに螺合する固定ネジ３５によって、ワッシャー３６（図３に示す）を介して基台板３１に移動不能に固定される。
【００４１】
調芯作業は、固定ネジ３５を緩めて調芯板３２を基台板３１に対する固定を解除して相対移動可能とした後、第１偏芯ピン３３Ａを回転操作して第１ガイド軸２３Ｌの先端の略Ｘ軸方向における位置を調整し、次いで、第２偏芯ピン３３Ｂを回転操作して第１ガイド軸２３Ｌの先端の略Ｙ軸方向における位置に調整する。その後、固定ネジ３５を締め込んで、調芯板３２を基台板３１に固定して作業完了となる。この作業は、第１レンズ群Ｌ１（１群レンズ枠２９）を外すのみで、他の構成部品を組み立てた状態で行うことができる。
【００４２】
ここで、前述したように、調芯板３２における、第１調芯孔３２ｂおよび第２調芯孔３２ｃと支持孔３２ａとの位置関係は、支持孔３２ａと第２調芯孔３２ｃとの間隔：Ｄ２が、支持孔３２ａと第１調芯孔３２ｂとの間隔：Ｄ１より小さく（Ｄ１＞Ｄ２）設定されている。本実施形態では、第１偏芯ピン３３Ａと第２偏芯ピン３３Ｂの偏芯量が同一であるため、第１偏芯ピン３３Ａを回転操作することによる略Ｘ軸方向の調整の際に必然的に生ずるＹ軸方向の移動を、第２偏芯ピン３３Ｂを回転操作することによる略Ｙ軸方向の移動量より小さくすることができる。
【００４３】
以上、本実施形態によると、以下の効果を有する。
（１）本実施形態における撮像レンズ２０では、第２レンズ群Ｌ２および第３レンズ群Ｌ３の移動を案内する第１ガイド軸２３Ｌの先端部を、調芯支持機構３０における２組の偏芯ピン３３（第１偏芯ピン３３Ａおよび第２偏芯ピン３３Ｂ）でそれぞれ交差する方向に移動させることで、その調整範囲内における任意の位置に移動させることができる。これにより、第１ガイド軸２３Ｌを広い範囲において容易に高精度で調整できる。
【００４４】
（２）本実施形態における調芯支持機構３０では、前面側から第１ガイド軸２３Ｌの位置調整を行うことができる。これにより、第１レンズ群Ｌ１以外の構成部品を組み立てた状態での調整作業が可能となり、極めて作業性が良く調整作業を合理的に行うことができる。
（３）調芯支持機構３０において、回転操作する偏芯ピン３３は、操作頭部３３ｃが正六角形に形成されて一文字の操作溝を備えるため、偏芯方向を容易に判別することが可能であり、極めて作業性が良く調整作業を合理的に行うことができる。
【００４５】
（変形形態）
以上、説明した実施形態に限定されることなく、以下に示すような種々の変形や変更が可能であり、それらも本発明の範囲内である。
（１）上記実施形態は、本発明を合焦レンズ群（第２レンズ群Ｌ２および第３レンズ群Ｌ３）の移動を案内する第１ガイド軸２３Ｌに適用したものである。しかし、本発明はこれに限らず、移動するレンズ群（たとえば移動して焦点距離を変化させるズーミングレンズ群等）を案内するガイド軸に適用しても良い。
【００４６】
（２）また、上記実施形態における調芯支持機構３０の偏芯ピン３３は、操作頭部３３ｃが正六角形に形成されているが、操作頭部３３ｃの形状は正六角形に限定されるものではなく、他の多角形や不等辺の多角形としても良い。
なお、実施形態及び変形形態は、適宜組み合わせて用いることもできるが、詳細な説明は省略する。また、本発明は以上説明した実施形態によって限定されることはない。
【符号の説明】
【００４７】
１：カメラ、１０：カメラ本体、２０：撮像レンズ、２２：鏡筒本体、２３Ｌ：第１ガイド軸、２４：２群保持枠、２５：３群保持枠、３０：調芯支持機構、３１：基台板、３１ｂ：第１偏芯ピン装着孔、３１ｃ：第２偏芯ピン装着孔、３２：調芯板、３２ｂ：第１調芯孔、３２ｃ：第２調芯孔、３２ｄ：固定孔、３３Ａ：第１偏芯ピン、３３Ｂ：第２偏芯ピン、３３ａ：装着軸部、３３ｂ：偏芯操作軸部、３３ｃ：操作頭部、３５：固定ネジ、Ｌ１：第１レンズ群、Ｌ２：第２レンズ群、Ｌ３：第３レンズ群、ＬＭ：レンズマウント、ＯＡ：光軸
【図１】
2012173670.tif 000003
【図２】
2012173670.tif 000004
【図３】
2012173670.tif 000005
【図４】
2012173670.tif 000006
【図５】
2012173670.tif 000007